(57)【要約】  梱包具（１）は、物品（５０）を梱包するために用いられる。梱包具（１）は、フィルム（３０）と、板状部材（１０）とを備える。板状部材（１０）は、フィルム（３０）が取り付けられる。フィルム（３０）と板状部材（１０）とによって、２つの開口端部（３０ａ）を有する開口（３３）が形成されている。板状部材（１０）は、ベース部（１８）と、押さえ部（４０）とを有する。押さえ部（３０）は、ベース部（１８）に配置される。押さえ部（３０）は、フィルム（３０）に覆われている。ベース部（１８）は、基準面（１１）と、折曲げ面（１２）とを有する。押さえ部（４０）は、基端（４１）と先端（４２）とを有する。折曲げ面（１２）は、基準面（１１）に隣接し折曲げ可能である。押さえ部（３０）は、基端（４１）を介してベース部（１８）に対して折曲げ可能である。ベース部（１８）とフィルム（３０）との間の隙間に、物品（５０）を配置可能である。
2018216138.tif 000002
【特許請求の範囲】
【請求項１】
物品を梱包するために用いられる梱包具であって、
フィルムと、
前記フィルムが取り付けられた板状部材と
を備え、
前記フィルムと前記板状部材とによって、２つの開口端部を有する開口が形成されており、
前記板状部材は、ベース部と、前記ベース部に配置され前記フィルムに覆われている押さえ部とを有し、
前記ベース部は、基準面と、前記基準面に隣接し折曲げ可能な折曲げ面とを有し、
前記押さえ部は、基端と先端とを有し、前記基端を介して前記ベース部に対して折曲げ可能であり、
前記ベース部と前記フィルムとの間の隙間に、前記物品を配置可能である、
梱包具。
【請求項２】
前記基準面に対する前記折曲げ面の折曲げ状態が変化することに伴って、前記フィルムが前記押さえ部の前記先端に接触した状態で張られることにより、前記押さえ部が前記物品の上面と接触し前記物品の前記上面のうち一方の端部を押さえることによって前記物品が前記ベース部に押し付けられ、かつ、前記フィルムが前記物品の前記上面のうち前記一方の端部と対向する端部の少なくとも一部と接触するように構成されている、請求項１に記載の梱包具。
【請求項３】
前記基端から前記先端に向かう方向は、前記フィルムが引っ張られる方向に沿っている、請求項１または請求項２に記載の梱包具。
【請求項４】
前記押さえ部は、前記基準面に配置される、請求項１から請求項３のいずれか１項に記載の梱包具。
【請求項５】
前記基端は、前記ベース部の中心からずれた位置に位置する、請求項１から請求項４のいずれか１項に記載の梱包具。
【請求項６】
前記基端から前記先端までの距離は、前記基端の位置に応じて異なる、請求項１から請求項５のいずれか１項に記載の梱包具。
【請求項７】
前記先端が延びる方向に沿った断面視において、
前記基準面と前記フィルムとによって規定される角度は、
前記物品の上面と前記フィルムとによって規定される角度よりも大きい、請求項１から請求項６のいずれか１項に記載の梱包具。
【請求項８】
前記押さえ部は複数である、請求項１から請求項７のいずれか１項に記載の梱包具。
【請求項９】
前記複数の押さえ部は、前記基端から前記先端に向かう方向が異なる、請求項８に記載の梱包具。
【請求項１０】
前記複数の押さえ部の前記基端から前記先端までの距離がそれぞれ異なる、請求項８または請求項９に記載の梱包具。
【請求項１１】
前記複数の押さえ部の前記基端は、一直線上に位置する、請求項８から請求項１０のいずれか１項に記載の梱包具。
【請求項１２】
前記板状部材は、折曲げ線をさらに有し、
前記折曲げ面は、前記折曲げ線を介して折曲げ可能であり、
前記折曲げ線は、前記開口が延びる方向に対して平行に延びる平行折曲げ線を含み、
前記折曲げ面は、前記平行折曲げ線を介して前記基準面に隣接し折曲げ可能な平行折曲げ面を有し、
前記平行折曲げ面が前記基準面に対して折り曲げられた状態で、前記ベース部と前記フィルムとの間の隙間に前記物品を配置可能であり、
前記ベース部と前記フィルムとの間の隙間に前記物品が配置された状態で、前記平行折曲げ面が前記基準面に対して展開されるのに伴って、前記フィルムが前記押さえ部の前記先端に接触した状態で張られることにより、前記押さえ部が前記物品の上面と接触し前記物品の前記上面のうち一方の端部を押さえることによって前記物品が前記ベース部に押し付けられ、かつ、前記フィルムが前記物品の前記上面のうち前記一方の端部と対向する端部の少なくとも一部と接触するように構成されている、請求項１から請求項１１のいずれか１項に記載の梱包具。
【請求項１３】
前記平行折曲げ線は、前記ベース部の中心からずれた位置に位置する、請求項１２に記載の梱包具。
【請求項１４】
前記ベース部は、
前記ベース部上で互いに交わらない２つの前記平行折曲げ線を介して区画されており、
１つの前記基準面と、それぞれ前記平行折曲げ線の一方を介して前記基準面に隣接する２つの前記平行折曲げ面とを有する、請求項１２または請求項１３に記載の梱包具。
【請求項１５】
前記板状部材は、折曲げ線をさらに有し、
前記折曲げ面は、前記折曲げ線を介して折曲げ可能であり、
前記折曲げ線は、前記開口が延びる方向に交差する方向に平行に延びる交差折曲げ線を含み、
前記折曲げ面は、前記交差折曲げ線を介して前記基準面に隣接し折曲げ可能な交差折曲げ面を有し、
前記ベース部と前記フィルムとの間の隙間に前記物品が配置された状態で、前記交差折曲げ面が前記基準面に対して面一である状態から前記交差折曲げ線を介して折り曲げられるのに伴って、前記フィルムが前記押さえ部の前記先端に接触した状態で張られることにより、前記押さえ部が前記物品の上面と接触し前記物品の前記上面のうち一方の端部を押さえることによって前記物品が前記ベース部に押し付けられ、かつ、前記フィルムが前記物品の前記上面のうち前記一方の端部と対向する端部の少なくとも一部と接触するように構成されている、請求項１から請求項１４のいずれか１項に記載の梱包具。
【請求項１６】
前記開口端部は前記交差折曲げ面に掛かっている、請求項１５に記載の梱包具。
【請求項１７】
前記交差折曲げ面は、前記ベース部上で互いに交わらない２つの前記交差折曲げ線のそれぞれを介して区画されて２つ設けられている、請求項１５または請求項１６に記載の梱包具。
【請求項１８】
前記フィルムは、伸縮性フィルムである、請求項１から請求項１７のいずれか１項に記載の梱包具。
【請求項１９】
前記フィルムは筒状である、請求項１から請求項１８のいずれか１項に記載の梱包具。
【請求項２０】
梱包具を用いて物品を梱包する梱包方法であって、
前記梱包具は、
フィルムと、
前記フィルムが取り付けられた板状部材と
を備え、
前記板状部材は、ベース部と、前記ベース部に配置され前記フィルムに覆われている押さえ部とを有し、
前記ベース部は、基準面と、前記基準面に隣接し折曲げ可能な折曲げ面とを有し、
前記押さえ部は、基端と先端とを有し、前記基端を介して前記ベース部に対して折曲げ可能であり、
前記ベース部と前記フィルムとの間の隙間に、前記物品を配置可能であり、
前記梱包具を用意するステップと、
前記ベース部と前記フィルムとの間の隙間に前記物品を配置するステップと、
前記基準面に対する前記折曲げ面の折曲げ状態が変化することに伴って、前記フィルムが前記押さえ部の先端に接触した状態で張られることにより、前記押さえ部が前記物品の上面と接触し前記物品の前記上面のうち一方の端部を押さえることによって前記物品が前記ベース部に押し付けられ、かつ、前記フィルムが前記物品の前記上面のうち前記一方の端部と対向する端部の少なくとも一部と接触するステップと
を含む、梱包方法。
【発明の詳細な説明】
【技術分野】
【０００１】
本発明は、梱包具および梱包方法に関する。
【背景技術】
【０００２】
物品を梱包するために用いられる梱包具として、フィルムと板状部材との間に物品を挟んだ状態でフィルムを張ることで物品を板状部材に押さえつけ、物品を定位置に保持するものが用いられている。【０００３】
特許文献１に記載の梱包具（包装キット）では、板状部材の端部を折り曲げることによって、フィルムを張ることで物品を板状部材に固定している。
【先行技術文献】
【特許文献】
【０００４】
【特許文献１】特表平９−５０１１２８号公報
【発明の概要】
【発明が解決しようとする課題】
【０００５】
しかしながら、特許文献１に記載の梱包具では、容易に背の低い（薄い）物品を固定して梱包することが困難であった。例えば、背の低い（薄い）物品を梱包する場合、フィルムと板状部材との間の隙間が大きいため、背の低い物品が固定されない可能性があった。【０００６】
本発明は上記課題に鑑みてなされたものであり、その目的は、容易に背の低い物品を固定して梱包することができる梱包具および梱包方法を提供することにある。
【課題を解決するための手段】
【０００７】
本発明に係る梱包具は、物品を梱包するために用いられる。前記梱包具は、フィルムと、板状部材とを備える。前記板状部材は、前記フィルムが取り付けられる。前記フィルムと前記板状部材とによって、２つの開口端部を有する開口が形成されている。前記板状部材は、ベース部と、押さえ部とを有する。前記押さえ部は、前記ベース部に配置される。前記押さえ部は、前記フィルムに覆われている。前記ベース部は、基準面と、折曲げ面とを有する。前記折曲げ面は、前記基準面に隣接し折曲げ可能である。前記押さえ部は、基端と先端とを有する。前記押さえ部は、前記基端を介して前記ベース部に対して折曲げ可能である。前記ベース部と前記フィルムとの間の隙間に、前記物品を配置可能である。【０００８】
ある実施形態において、前記基準面に対する前記折曲げ面の折曲げ状態が変化することに伴って、前記フィルムが前記押さえ部の前記先端に接触した状態で張られることにより、前記押さえ部が前記物品の上面と接触し前記物品の前記上面のうち一方の端部を押さえることによって前記物品が前記ベース部に押し付けられ、かつ、前記フィルムが前記物品の前記上面のうち前記一方の端部と対向する端部の少なくとも一部と接触するように構成されている。【０００９】
ある実施形態において、前記基端から前記先端に向かう方向は、前記フィルムが引っ張られる方向に沿っている。【００１０】
ある実施形態において、前記押さえ部は、前記基準面に配置される。【００１１】
ある実施形態において、前記基端は、前記ベース部の中心からずれた位置に位置する。【００１２】
ある実施形態において、前記基端から前記先端までの距離は、前記基端の位置に応じて異なる。【００１３】
ある実施形態において、前記先端が延びる方向に沿った断面視において、前記基準面と前記フィルムとによって規定される角度は、前記物品の前記上面と前記フィルムとによって規定される角度よりも大きい。【００１４】
ある実施形態において、前記押さえ部は複数である。【００１５】
ある実施形態において、前記複数の押さえ部は、前記基端から前記先端に向かう方向が異なる。【００１６】
ある実施形態において、前記複数の押さえ部の前記基端から前記先端までの距離がそれぞれ異なる。【００１７】
ある実施形態において、前記複数の押さえ部の前記基端は、一直線上に位置する。【００１８】
ある実施形態において、前記板状部材は、折曲げ線をさらに有する。前記折曲げ面は、前記折曲げ線を介して折曲げ可能である。前記折曲げ線は、前記開口が延びる方向に対して平行に延びる平行折曲げ線を含む。前記折曲げ面は、前記平行折曲げ線を介して前記基準面に隣接し折曲げ可能な平行折曲げ面を有する。前記平行折曲げ面が前記基準面に対して折り曲げられた状態で、前記ベース部と前記フィルムとの間の隙間に前記物品を配置可能である。前記ベース部と前記フィルムとの間の隙間に前記物品が配置された状態で、前記平行折曲げ面が前記基準面に対して展開されるのに伴って、前記フィルムが前記押さえ部の前記先端に接触した状態で張られることにより、前記押さえ部が前記物品の前記上面と接触し前記物品の前記上面のうち一方の端部を押さえることによって前記物品が前記ベース部に押し付けられ、かつ、前記フィルムが前記物品の前記上面のうち前記一方の端部と対向する端部の少なくとも一部と接触するように構成されている。【００１９】
ある実施形態において、前記平行折曲げ線は、前記ベース部の中心からずれた位置に位置する。【００２０】
ある実施形態において、前記ベース部は、前記ベース部上で互いに交わらない２つの前記平行折曲げ線を介して区画されている。前記ベース部は、１つの前記基準面と、それぞれ前記平行折曲げ線の一方を介して前記基準面に隣接する２つの前記平行折曲げ面とを有する。【００２１】
ある実施形態において、前記板状部材は、折曲げ線をさらに有する。前記折曲げ面は、前記折曲げ線を介して折曲げ可能である。前記折曲げ線は、前記開口が延びる方向に交差する方向に平行に延びる交差折曲げ線を含む。前記折曲げ面は、前記交差折曲げ線を介して前記基準面に隣接し折曲げ可能な交差折曲げ面を有する。前記ベース部と前記フィルムとの間の隙間に前記物品が配置された状態で、前記交差折曲げ面が前記基準面に対して面一である状態から前記交差折曲げ線を介して折り曲げられるのに伴って、前記フィルムが前記押さえ部の前記先端に接触した状態で張られることにより、前記押さえ部が前記物品の前記上面と接触し前記物品の前記上面のうち一方の端部を押さえることによって前記物品が前記ベース部に押し付けられ、かつ、前記フィルムが前記物品の前記上面のうち前記一方の端部と対向する端部の少なくとも一部と接触するように構成されている。【００２２】
ある実施形態において、前記開口端部は前記交差折曲げ面に掛かっている。【００２３】
ある実施形態において、前記交差折曲げ面は、前記ベース部上で互いに交わらない２つの前記交差折曲げ線のそれぞれを介して区画されて２つ設けられている。【００２４】
ある実施形態において、前記フィルムは、伸縮性フィルムである。【００２５】
ある実施形態において、前記フィルムは筒状である。【００２６】
本発明に係る梱包方法は、梱包具を用いて物品を梱包する梱包方法である。前記梱包具は、フィルムと、板状部材とを備える。前記板状部材は、前記フィルムが取り付けられる。前記板状部材は、ベース部と、押さえ部と、折曲げ面とを有する。前記押さえ部は、前記ベース部に配置される。前記押さえ部は、前記フィルムに覆われている。前記ベース部は、基準面と、折曲げ面とを有する。前記折曲げ面は、前記基準面に隣接し折曲げ可能である。前記押さえ部は、基端と先端とを有する。前記押さえ部は、前記基端を介して前記ベース部に対して折曲げ可能である。前記ベース部と前記フィルムとの間の隙間に、前記物品を配置可能である。前記梱包方法は、前記梱包具を用意するステップと、前記ベース部と前記フィルムとの間の隙間に前記物品を配置するステップと、前記基準面に対する前記折曲げ面の折曲げ状態が変化することに伴って、前記フィルムが前記押さえ部の先端に接触した状態で張られることにより、前記押さえ部が前記物品の上面と接触し前記物品の前記上面のうち一方の端部を押さえることによって前記物品が前記ベース部に押し付けられ、かつ、前記フィルムが前記物品の前記上面のうち前記一方の端部と対向する端部の少なくとも一部と接触するステップとを含む。
【発明の効果】
【００２７】
本発明によれば、容易に背の低い物品を固定して梱包することができる。
【図面の簡単な説明】
【００２８】
【図１】本発明の第１の実施の形態に係る梱包具を示す斜視図である。
【図２】第１の実施の形態に係る梱包具の分解斜視図である。
【図３】板を模式的に示す平面図である。
【図４】本実施形態に係る梱包具を用いた梱包方法を示す模式図である。
【図５】梱包が行われて展開状態とされた梱包具を示す斜視図である。
【図６】交差折曲げ面を立ち上げた状態を示す斜視図である。
【図７】梱包体の分解斜視図である。
【図８】梱包具が外箱内に収納された状態の梱包体を示す図である。
【図９】梱包体を示す側断面図である。
【図１０】本発明の第２の実施の形態に係る梱包具を示す斜視図である。
【図１１】梱包が行われて展開状態とされた梱包具を示す斜視図である。
【図１２】交差折曲げ面を立ち上げた状態を示す斜視図である。
【図１３】本発明の第３の実施の形態に係る梱包具を示す斜視図である。
【図１４】板を模式的に示す平面図である。
【図１５】交差折曲げ面を立ち上げた状態を示す斜視図である。
【図１６】本発明の変形例に係る梱包具を示す斜視図である。
【図１７】本発明の変形例に係る梱包具を模式的に示す平面図である。
【図１８】本発明の変形例に係る梱包具を模式的に示す平面図である。
【図１９】本発明の変形例に係る梱包具を模式的に示す平面図である。
【図２０】（ａ）および（ｂ）は、本発明の変形例に係る梱包具を示す斜視図である。
【図２１】本発明の変形例に係る梱包具を示す斜視図である。
【図２２】本発明の変形例に係る梱包具を示す斜視図である。
【図２３】本発明の変形例に係る梱包具の分解斜視図である。
【図２４】梱包具の拡大斜視図である。
【図２５】（ａ）は、本発明の変形例に係る梱包具を示す斜視図である。（ｂ）は、本発明の変形例に係る梱包具を模式的に示す平面図である。
【図２６】本発明の変形例に係る梱包具を模式的に示す平面図である。
【発明を実施するための形態】
【００２９】
以下、本発明の実施形態について、図面を参照しながら説明する。なお、図中、同一または相当部分については同一の参照符号を付して説明を繰り返さない。
【００３０】
以下、本発明の実施の形態における梱包具について説明する。
【００３１】
梱包具は、フィルムと、例えば段ボール製の板状部材とを組み合わせて構成されている。板状部材は、ベース部と、押さえ部と、折曲げ線とを有する。梱包具は、押さえ部とフィルムとにより物品を板状部材に押さえつけることにより、物品を定位置に固定することができる。板状部材を折り曲げた状態で板状部材の接地面とフィルムとの間で広がる隙間に物品を配置できる。板状部材の折曲げ状態が変化することに伴って、フィルムを張り、押さえ部とフィルムとにより物品を固定することができる。
【００３２】
梱包具は、板状部材にフィルムが取り付けられた、簡素な構造を有する。梱包具は、容易に製造可能である。梱包具は、板状部材にフィルムを取り付けて、フィルムどうしを固定することでも、製造可能である。
【００３３】
梱包具を用いることで、手作業による梱包を容易に行うことができる。また、梱包具は、例えば梱包ラインにおいて多数の物品を連続的に梱包するような場合にも用いることができる。それにより、梱包ラインにおける梱包を容易に行うことができる。
【００３４】
［第１の実施の形態］
図１および図２を参照して、本発明の第１の実施の形態に係る梱包具１について説明する。図１は、本発明の第１の実施の形態に係る梱包具１を示す斜視図である。図２は、第１の実施の形態に係る梱包具１の分解斜視図である。
【００３５】
以下の説明において、図１に示す座標のＸ軸方向を左右方向（原点から見てＸ軸で正となる方向が右方向）、Ｙ軸方向を前後方向（原点から見てＹ軸で正となる方向が後方向）、Ｚ軸方向（ＸＹ平面に垂直な方向）を上下方向（原点から見てＺ軸で正となる方向が上方向）ということがある。
【００３６】
図１に示すように、梱包具１は、板（板状部材の一例）１０と、フィルム３０とを備えている。本実施形態では、フィルム３０は筒状である。板１０には、フィルム３０が巻かれている。梱包具１は、物品を梱包可能である。
【００３７】
本実施の形態において、板１０は、例えば、厚みが５ミリメートル程度の、１枚の段ボール製である。フィルム３０は、例えばポリエチレン製で伸縮性（可撓性）を有するフィルムである。フィルム３０は、無色透明であるが、これに限られず、いわゆる半透明や不透明であってもよいし、着色されていてもよい。
【００３８】
なお、図１においては梱包具１の展開状態が示されている。展開状態の梱包具１の寸法は、例えば、左右方向が３００ミリメートル程度であって、前後方向が１８０ミリメートル程度である。梱包具１の寸法は、これに限られるものではなく、梱包対象として想定される物品の大きさや種々の用途などに応じて設定される。
【００３９】
板１０は、ベース部１８と、押さえ部４０と、３本の折曲げ線（折り目；筋）２１、２３、２４とを有する。
【００４０】
ベース部１８は、平板状である。ベース部１８は、折曲げ線２１、２３、２４を介して区画されている。詳しくは、ベース部１８は、基準面１１と、折り曲げ面（平行折曲げ面１２および交差折曲げ面１５、１６）とを有する。ベース部１８の区画については図３を参照して後述する。
【００４１】
押さえ部４０は、基端４１と、先端４２と、上面４３と、下面４４とを有する。押さえ部４０は、略矩形状である。基端４１は直線状である。先端４２の両端部は円弧状である。押さえ部４０は、基端４１を介してベース部１８に対して折り曲げ可能である。すなわち、押さえ部４０は、基端４１を中心に方向Ｄ１に回動可能である。押さえ部４０は、フィルム３０に覆われている。
【００４２】
図２に示すように、フィルム３０には、貫通孔３００が形成されている。貫通孔３００は、左右方向に平行に（Ｘ軸に平行に）延びている。
【００４３】
図１に示すように、梱包具１には、開口３３が形成されている。開口３３は、フィルム３０と板１０とによって形成される。開口３３は、２つの開口端部３０ａを有する。
【００４４】
図１および図２に示すように、板１０には、３本の折曲げ線（折り目；筋）２１、２３、２４が設けられている。すなわち、板１０には、１本の平行折曲げ線２１と、２本の交差折曲げ線２３、２４とが形成されている。これらの折曲げ線２１、２３、２４は、例えば、いわゆる筋付けローラーや筋付け刃を押し付けることにより形成される。折曲げ線２１、２３、２４には、ミシン目加工が行われるようにしてもよい。
【００４５】
平行折曲げ線２１は、左右方向に平行に（Ｘ軸に平行に）配置されている。すなわち、平行折曲げ線２１は、開口３３が延びる方向に対して平行に延びている。板１０は、平行折曲げ線２１について、前後両端部が上方に変位するように容易に折り曲げることができる。
【００４６】
交差折曲げ線２３は、板１０の右端部近傍位置に、前後方向に平行に（Ｙ軸に平行に）配置されている。すなわち、交差折曲げ線２３は、開口３３が延びる方向に交差する方向に平行に延びている。また、交差折曲げ線２４は、板１０の左端部近傍位置に、前後方向に平行に配置されている。板１０は、交差折曲げ線２３について、右端部が上方に変位するように容易に折り曲げることができる。板１０は、交差折曲げ線２４について、左端部が上方に変位するように容易に折り曲げることができる。
【００４７】
板１０には、さらに、押さえ部４０が設けられている。基端４１は、いわゆる筋付けローラーや筋付け刃を押し付けることにより折り目が形成される。基端４１を残して、板１０に切り込みを形成することによって、押さえ部４０は形成される。基端４１には、ミシン目加工が行われるようにしてもよい。板１０には、開口４８が形成されている。開口４８は、押さえ部４０の形状に対応する。したがって、押さえ部４０を開口４８に入れることによって、板１０を平坦状にすることができる。その結果、押さえ部４０を用いずに梱包することも可能である。また、梱包具１の保管時のスペースを削減することができる。なお、押さえ部４０は、板１０に切り込みを形成することによって設けられるのではなく、板１０に別の板を取り付けることによって設けられてもよい。
【００４８】
板１０に平行折曲げ線２１と交差折曲げ線２３、２４とが設けられていることにより、板１０は、次のように区画されている。
【００４９】
図３を参照してベース部１８の区画について説明する。図３は、板１０を模式的に示す平面図である。
【００５０】
図３において、各種ハッチングで囲まれた部位が、ここでいう１つの区画に相当する。図３において、フィルム３０は二点鎖線で示している。また、平行折曲げ線２１と交差折曲げ線２３、２４とは、それぞれ一点鎖線で示されている。図３に示すように、ベース部１８には、基準面１１と、平行折曲げ面１２と、２つの交差折曲げ面１５、１６との４つの区画が設けられている。基準面１１には、梱包される物品５０が配置される。平行折曲げ面１２は、基準面１１に隣接する。
【００５１】
基準面１１と平行折曲げ面１２との間には、平行折曲げ線２１が配置されている。換言すると、基準面１１と平行折曲げ面１２とは、平行折曲げ線２１を介して区画されている。基準面１１は、ベース部１８の前側に、平行折曲げ面１２はベース部１８の後ろ側に、それぞれ配置されている。交差折曲げ面１５、１６は、交差折曲げ線２３、２４を介して、それぞれ、基準面１１および平行折曲げ面１２に隣接するように区画されている。交差折曲げ面１５は、ベース部１８のうち、交差折曲げ線２３よりも右側の部分である。交差折曲げ面１６は、ベース部１８のうち、交差折曲げ線２４よりも左側の部分である。換言すると、基準面１１は、平行折曲げ線２１より前方の部位であって、交差折曲げ線２３と交差折曲げ線２４との間にある部位である。また、平行折曲げ面１２は、平行折曲げ線２１より後方の部位であって、交差折曲げ線２３と交差折曲げ線２４との間にある部位である。
【００５２】
押さえ部４０は、ベース部１８に配置されている。本実施形態では、押さえ部４０は、基準面１１に配置されている。基端４１は、平行折曲げ線２１に平行である。基端４１から先端４２に向かう方向は、開口３３が延びる方向に交差している。本実施形態では、基端４１から先端４２に向かう方向は、開口３３が延びる方向（Ｘ軸方向）に直交している。押さえ部４０は、基端４１を介してベース部１８に対して折り曲げ可能である。
【００５３】
板１０は、平行折曲げ面１２と交差折曲げ面１５、１６の後方の部位とが、基準面１１と交差折曲げ面１５、１６の前方の部位とに対して、平行折曲げ線２１で折り曲げ可能である。
【００５４】
開口端部３０ａは、交差折曲げ面１５、１６に掛かっている。換言すると、フィルム３０の長さ（筒の長さ）は、基準面１１の左右方向の幅または平行折曲げ面１２の左右方向の幅よりも長くなっている。
【００５５】
板１０の一対の縁部１０ｍの各々は、直線状である。基準面１１は、矩形状である。平行折曲げ面１２は、矩形状である。
【００５６】
図１に戻って、フィルム３０は、板１０のうち、主に基準面１１と平行折曲げ面１２とを囲むように配置されている。フィルム３０の幅方向（周方向に直交する方向）が左右方向になるように、フィルム３０が配置されている。換言すると、フィルム３０は、平行折曲げ線２１がフィルム３０が形成する筒の内部を貫くようにして、板１０に巻かれている。
【００５７】
フィルム３０は、板１０に、種々の方法で取り付けられればよい。例えば、予め環状に形成されたフィルム３０の内部に板１０を通すことでフィルム３０が板１０に取り付けられる。また、例えば、帯掛包装機などを用いて、板１０に対してフィルムを１周巻回し、フィルムどうしを接着することで、フィルム３０が板１０に取り付けられる。フィルム３０が板１０に取り付けられている状態で、板１０は、各折曲げ線２１、２３、２４で折り曲げ可能である。
【００５８】
本実施形態では、平行折曲げ線２１は、ベース部１８の前後中央よりも後ろ側にオフセットされている。すなわち、平行折曲げ線２１は、ベース部１８の中心からずれた位置に位置する。基準面１１の面積は、平行折曲げ面１２の面積よりも大きい。
【００５９】
平行折曲げ線２１が後ろ側にオフセットされていることにより、次の効果が生じる。すなわち、基準面１１が広く、梱包具１の重心が平行折曲げ線２１よりも前方にあるので、略水平の台上などで梱包具１を折曲げ状態にしたとき、基準面１１が台上などに設置したままの状態を容易に保持することができる。そのため、専用の治具等を用いなくても、容易に梱包作業を行うことができる。
【００６０】
次に、図４を参照して梱包具１を用いて物品５０を梱包する方法について説明する。図４は、本実施形態に係る梱包具１を用いた梱包方法を示す模式図である。図４（ａ）〜（ｃ）は、図１のＩＶ−ＩＶ線における断面が示されている。図４（ｃ）において、角度θ１は、基準面１１とフィルム３０とによって規定される角度であり、角度θ２は、物品５０の上面５３とフィルム３０とによって規定される角度である。本実施形態では、物品５０は比較的背の低い（薄い）物品である。
【００６１】
図４（ｂ）に示すように、梱包具１は、平行折曲げ線２１で平行折曲げ面１２が基準面１１に対して折り曲げることによって、折り曲げられた状態（以下、折曲げ状態ということがある）にすることができる。梱包具１が折曲げ状態であるとき、フィルム３０とベース部１８の上面（ここでは、基準面１１）との間の隙間Ａに物品５０を配置可能である。すなわち、折曲げ状態では、側面視で、板１０の前端部、後端部、および平行折曲げ線２１の折り目部分を直線で結ぶ経路の長さが展開状態よりも小さくなる。折曲げ状態では、この経路とフィルム３０の周の長さとの差が大きくなる。このため、平行折曲げ面１２および基準面１１と、フィルム３０との間に、隙間Ａができる。この隙間Ａに、梱包対象となる物品５０を配置することができる。
【００６２】
折り曲げ角度が大きくなるほど（平行折曲げ面１２と基準面１１とのなす角が小さくなるほど）、上記経路の長さとフィルム３０の周の長さとの差が大きくなるが、平行折曲げ面１２と基準面１１との間が狭くなる。そのため、物品５０を隙間Ａに配置可能な適当な角度まで平行折曲げ面１２を基準面１１に対して折り曲げるようにすればよい。
【００６３】
図１のＩＶ−ＩＶ線における断面における断面を示す図４（ａ）〜（ｃ）を参照して梱包具１を用いて物品５０を梱包する方法についてさらに説明する。図４において上から下に、ステップＳ１１、Ｓ１２、Ｓ１３を順にたどるようにして、梱包具１を用いた梱包が行われる。
【００６４】
図４（ａ）に示すように、梱包具１を用意する（Ｓ１１；用意するステップ）。展開状態の梱包具１は、平板状である。この状態から、図に上向き矢印で示されるように、板１０を平行折曲げ線２１において折り曲げて平行折曲げ面１２を基準面１１に近づけ、折曲げ状態にする（折り曲げステップ）。
【００６５】
次に、図４（ｂ）に示すように、板１０が折り曲げられた状態で、基準面１１とフィルム３０との間の隙間Ａに、物品５０が配置される（Ｓ１２；物品配置ステップ）。
【００６６】
その後、図４（ｃ）に下向き矢印で示すように、平行折曲げ面１２を基準面１１に対して展開し、展開状態とする（Ｓ１３）。そうすると、フィルム３０が押さえ部４０の先端４２に接触した状態で張られる。したがって、押さえ部４０が物品５０の上面５３と接触し物品５０の上面５３のうち一方の端部５４を押さえる。その結果、物品５０がベース部１８に押し付けられた状態となる。さらに、フィルム３０が物品５０の上面５３のうち端部５５の少なくとも一部と接触した状態で張られる。その結果、物品５０がベース部１８に押し付けられた状態となる（展開ステップ）。端部５５は、一方の端部５４と対向している。本実施形態において、基端４１から先端４２に向かう方向Ｄ２は、フィルム３０が引っ張られる方向（Ｙ軸方向）に沿っている。
【００６７】
本実施形態の梱包方法では、展開ステップにおいて、フィルム３０が押さえ部４０の先端４２に接触した状態で張られる。したがって、フィルム３０と先端４２との接触点は、物品５０よりも上方に位置する。したがって、角度θ２を大きくすることができる。その結果、フィルム３０が端部５５と接触する。押さえ部４０の先端４２が延びる方向に沿った断面視において、角度θ１は、角度θ２よりも大きい。
【００６８】
図５から図６を参照して梱包具１についてさらに説明する。図５は、梱包が行われて展開状態とされた梱包具１を示す斜視図である。図６は、交差折曲げ面１５、１６を立ち上げた状態を示す斜視図である。
【００６９】
梱包具１は、基準面１１に対する平行折曲げ面１２（折曲げ面）の折曲げ状態が変化することに伴って、フィルム３０が押さえ部４０の先端４２に接触した状態で張られることにより、押さえ部４０が物品５０の上面５３と接触し物品５０の上面５３のうち一方の端部５４を押さえることによって物品５０がベース部１８に押し付けられるように構成されている。詳しくは、図５に示すように、展開ステップが行われると、側面視で、板１０の前端部、後端部、平行折曲げ線２１部の折り目部分、および押さえ部４０の先端４２を直線で結ぶ経路の長さが、物品５０が配置されていることにより、当初の展開状態よりも大きくなる。したがって、フィルム３０は、押さえ部４０の先端４２に接触した状態で、若干伸長しながら張られる。そのため、フィルム３０が押さえ部４０を押し付けることにより、押さえ部４０が物品５０の上面５３と接触し物品５０の上面５３のうち一方の端部５４を押さえる。その結果、物品５０がベース部１８に押し付けられる。
【００７０】
さらに、梱包具１は、基準面１１に対する平行折曲げ面１２（折曲げ面）の折曲げ状態が変化することに伴って、フィルム３０が物品５０の上面５３のうち一方の端部５４と対向する端部５５の少なくとも一部と接触するように構成されている。したがって、フィルム３０が張った状態で物品５０を板１０に固定することができる。
【００７１】
ここで、本実施の形態においては、上記のように展開ステップにするとき、交差折曲げ面１５、１６を交差折曲げ線２３、２４で基準面１１に対して折り曲げることによって、立ち上げた状態にすることができる。これにより、平行折曲げ面１２を基準面１１に対して展開させ、それによってフィルム３０を張ることができる。なお、展開ステップを行った後で、交差折曲げ面１５、１６を立ち上げてもよい（立ち上げステップ）。
【００７２】
図６に示すように、交差折曲げ線２３、２４は平行折曲げ線２１に板１０上で交わるので、交差折曲げ面１５、１６を交差折曲げ線２３、２４で折り曲げると、板１０が、基準面１１と平行折曲げ面１２との部分において展開された状態のまま（平行折曲げ面１２が基準面１１に対して略平行となるように展開された状態のまま）で保持される。換言すると、基準面１１と平行折曲げ面１２とが略平行となる状態にならなければ、交差折曲げ面１５、１６を折り曲げることができない。本実施の形態においては、板１０上で互いに交わらない２つの交差折曲げ線２３、２４のそれぞれを介して２つの交差折曲げ面１５、１６が設けられているので、両交差折曲げ面１５、１６を折り曲げて立ち上げ状態とすることで、板１０が、基準面１１と平行折曲げ面１２との部分で展開された状態が、確実に保持される。
【００７３】
図７〜図９を参照して、梱包体８０について説明する。図７は、梱包体８０の分解斜視図である。図８は、梱包具１が外箱７０内に収納された状態の梱包体８０を示す図である。図９は、梱包体８０を示す側断面図である。
【００７４】
図７および図８に示すように、梱包体８０は、梱包具１と外箱７０とを備える。梱包具１は、交差折曲げ面１５、１６が基準面１１に対して略垂直に折り曲げられた状態で、外箱７０内に収納される。換言すると、外箱７０の寸法は、このように交差折曲げ面１５、１６が折り曲げられた状態の梱包具１がぴったりと収納されるように、設定されている。交差折曲げ面１５、１６が基準面１１に対して折り曲げられた状態で、梱包具１が外箱７０内に収納されていることにより、交差折曲げ面１５、１６が基準面１１に対して折り曲げられた状態が保持される。したがって、フィルム３０が張られた状態が維持され、物品５０が板１０上の定位置に確実に保持される。
【００７５】
外箱７０は、例えば一般的な段ボール箱である。図８に示す状態では、外箱７０の上側の蓋が開いている。外箱７０の上側の蓋が閉じられると、略直方体状の梱包体８０が完成する。
【００７６】
図９においては、外箱７０の上下の蓋が閉じられた状態の梱包体８０の、ＸＺ平面に平行な断面を示す。図９において示すように、本実施の形態において、梱包具１が外箱７０内に収納された状態で、梱包具１の底部すなわち基準面１１および平行折曲げ面１２と、交差折曲げ面１５、１６の上部とが、外箱７０の内面に接触している。特に、梱包具１の底部は、外箱７０の内面の底面に接触し、交差折曲げ面１５、１６のそれぞれの上端部は、外箱７０の上面の内面に接触している。すなわち、図７においてｈ１で示す、交差折曲げ面１５、１６の、交差折曲げ線２３、２４からの幅寸法（立ち上げ状態における高さ寸法）と、図７においてｈ２で示す、外箱７０の高さ寸法とが、略等しく設定されている。
【００７７】
これにより、外箱７０は、交差折曲げ面１５、１６により上下方向に支えられた状態が保たれ、梱包体８０が頑丈なものとなる。また、接着剤等を用いることなく、梱包具１の位置が、外箱７０の内部で固定される。したがって、輸送時等に梱包体８０に振動や外力が加わったり、梱包体８０が傾けられたりしても、物品５０をしっかりと固定することができる。なお、梱包具１の底部が外箱７０の底面に近接し、交差折曲げ面１５、１６の上端部が、外箱７０の天面に近接していてもよい。この場合であっても、同様の効果が得られる。
【００７８】
また、交差折曲げ面１５、１６は、上方に向けて折り曲げられており、交差折曲げ面１５、１６の上端部は、物品５０よりも上方に位置している。すなわち、外箱７０の上面と物品５０とが離れた状態が維持されている。そのため、例えばユーザが梱包体８０を開梱するときに、外箱７０の上側の蓋を開状態とするためにナイフ等の鋭利な工具を用いたとしても、その工具と物品５０とが接触することが防止され、物品５０が保護される。
【００７９】
なお、梱包具１の板１０として、一定程度の厚みがある段ボールなど、クッション性のあるものを利用することが好ましい。それにより、梱包体８０に振動や外力が加わっても、物品５０に伝達される衝撃の大きさを小さくすることができ、より確実に、物品５０を保護することができる。また、板１０が厚いほうが、折曲げ状態から展開状態に近い自然状態に戻ろうとする復元力が大きくなるので、物品５０を固定しやすくなる。
【００８０】
以上説明したように、第１の実施の形態においては、基準面１１に対する折曲げ面の折曲げ状態が変化することに伴って、フィルム３０が押さえ部４０の先端４２に接触した状態で張られることにより、押さえ部４０が物品５０の上面５３と接触し物品５０の上面５３のうち一方の端部５４を押さえることによって物品５０がベース部１８に押し付けられ、かつ、フィルム３０が物品５０の上面５３のうち一方の端部５４と対向する端部５５の少なくとも一部と接触するように構成されている。したがって、押さえ部４０で物品５０を押さえつつ、フィルム３０が張った状態で物品５０を板１０に固定することができる。その結果、容易に背の低い（薄い）物品５０を固定して梱包することができる。
【００８１】
また、梱包具１において、板１０を折曲げ状態にして物品５０を配置し、再び板１０を展開状態にすることで、物品５０を定位置に保持させることができる。したがって、容易に物品５０の梱包を行うことができる。板１０は、一旦折曲げ状態にした後でも、展開状態に近い自然状態に戻ろうとする復元力を発生する。したがって、フィルム３０を張るために複雑な手順は必要なく、容易に板１０を展開状態にすることができる。
【００８２】
梱包具１は、板１０とフィルム３０とを組み合わせた簡素な構成を有する。そのため、物品５０を固定するために、多くのエネルギーを消費する装置や大掛かりな装置を用いる必要がなく、梱包に必要なコストを低減することができる。
【００８３】
第１の実施の形態において、梱包具１は、２つの交差折曲げ面１５、１６を立ち上げ状態とすることで、より確実に、物品５０が保持された状態を維持することができる。
【００８４】
開梱時には、梱包時と逆の手順で、交差折曲げ面１５、１６をもとに戻し、板１０を展開状態から折曲げ状態にすればよい。これにより、フィルム３０の張りを緩和させ、容易に物品５０を取り除くことができる。梱包を行う工程において、フィルムを熱収縮させたり、接着剤を用いたりといった、不可逆な工程は含まれない。したがって、このように容易に梱包および開梱を行うことができる。また、一旦梱包に使用した梱包具１を再利用して、別の物品５０を梱包することができ、経済的である。フィルム３０と板１０との組合せに、接着剤等は用いられない。したがって、例えばフィルム３０のみが傷んだ場合であっても、新たなフィルム３０と交換することにより、梱包具１として再利用することができる。
【００８５】
また、フィルム３０の開口端部３０ａは、交差折曲げ面１５、１６に掛かっている。そのため、交差折曲げ面１５、１６が基準面１１に対して折曲げられるときに、開口端部３０ａの近傍の部分も、交差折曲げ面１５、１６と共に交差折曲げ線２３、２４で折り曲げられる。これにより、板１０の基準面１１および平行折曲げ面１２と、フィルム３０とで囲まれた空間が構成される。この空間の気密をある程度まで維持することができるので、空間内に配置された物品５０に大きな塵等が付着することなどを簡易な構成で防止することができる。
【００８６】
［第２の実施の形態］
図１０〜１２を参照して、本発明の第２の実施の形態に係る梱包具１について説明する。図１０は、本発明の第２の実施の形態に係る梱包具１を示す斜視図である。図１１は、梱包が行われて展開状態とされた梱包具１を示す斜視図である。図１２は、交差折曲げ面１５、１６を立ち上げた状態を示す斜視図である。第２の実施の形態に係る梱包具１は、ベース部１８が複数の押さえ部４０を有すること、および、板１０に平行折曲げ線が２つ設けられている点を除いて、第１の実施の形態に係る梱包具１と同様な構成を有するため、重複部分については説明を省略する。図１０および図１１において、方向Ｄ３は、押さえ部４０ａの基端４１ａから先端４２ａに向かう方向であり、方向Ｄ４は、押さえ部４０ｂの基端４１ｂから先端４２ｂに向かう方向である。
【００８７】
図１０に示すように、ベース部１８は、２つの押さえ部４０ａ、４０ｂを有する。本実施形態では、方向Ｄ３は方向Ｄ４と異なる。詳しくは、方向Ｄ３は前方向を向いており、方向Ｄ４は後方向を向いている。すなわち、本実施形態では、方向Ｄ３と方向Ｄ４とは反対方向を向いている。本実施形態では、基端４１ａと、基端４１ｂとは一直線上に位置する。
【００８８】
板１０は、２つの平行折曲げ線２１、２２と、２つの交差折曲げ線２３、２４とを有する。２つの平行折曲げ線２１、２２は、板１０上で互いに交わらないように配置されている。本実施形態において、平行折曲げ線２１、２２は、それぞれ、Ｘ軸に平行に配置されている。平行折曲げ線２１が、板１０の後端近くに配置されている。平行折曲げ線２２が、板１０の前端近くに配置されている。また、本実施形態において、板１０には、基準面１１と、２つの平行折曲げ面１２、１３と、２つの交差折曲げ面１５、１６との５つの区画が設けられている。なお、基準面１１と平行折曲げ面１２、１３とにまたがって、梱包される物品５０が配置されてもよい。２つの平行折曲げ面１２、１３を折曲げ状態とすることで生じた隙間に物品５０を配置した後、２つの平行折曲げ面１２、１３を展開状態にすることでその物品５０を固定することができ、容易に梱包作業を行うことができる。
【００８９】
図１１に示すように、ベース部１８は、２つの押さえ部４０ａ、４０ｂを有する。したがって、梱包具１では、２つの物品５０を梱包することができる。また、方向Ｄ３と方向Ｄ４とは反対方向を向いている。したがって、２つの物品５０を互いに干渉しない位置に配置することができる。その結果、輸送時に２つの物品５０が衝突することを抑制することができる。
【００９０】
図１２に示すように、交差折曲げ線２３、２４は平行折曲げ線２１に板１０上で交わるので、交差折曲げ面１５、１６を交差折曲げ線２３、２４で折り曲げると、板１０が、基準面１１と平行折曲げ面１２との部分において展開された状態のまま（平行折曲げ面１２、１３が基準面１１に対して略平行となるように展開された状態のまま）で保持される。換言すると、基準面１１と平行折曲げ面１２、１３とが略平行となる状態にならなければ、交差折曲げ面１５、１６を折り曲げることができない。本実施の形態においては、板１０上で互いに交わらない２つの交差折曲げ線２３、２４のそれぞれを介して２つの交差折曲げ面１５、１６が設けられているので、両交差折曲げ面１５、１６を折り曲げて立ち上げ状態とすることで、板１０が、基準面１１と平行折曲げ面１２、１３との部分で展開された状態が、確実に保持される。
【００９１】
［第３の実施の形態］
図１３〜１５を参照して、本発明の第３の実施の形態に係る梱包具１について説明する。図１３は、本発明の第３の実施の形態に係る梱包具１を示す斜視図である。図１４は、板１０を模式的に示す平面図である。図１５は、交差折曲げ面１５、１６を立ち上げた状態を示す斜視図である。第３の実施の形態に係る梱包具１は、板１０に平行折曲げ線が形成されず、交差折曲げ線２３、２４のみが形成されている点を除いて、第１の実施の形態に係る梱包具１と同様な構成を有するため、重複部分については説明を省略する。
【００９２】
図１３に示すように、梱包具１は、板１０と、フィルム３０とを備えている。板１０には、２本の折曲げ線（折り目；筋）２３、２４が設けられている。すなわち、板１０には、２本の交差折曲げ線２３、２４とが形成されている。
【００９３】
板１０には、さらに、押さえ部４０が形成されている。本実施形態では、基端４１から先端４２に向かう方向は、開口３３が延びる方向（Ｘ軸方向）に沿っている。詳しくは、基端４１から先端４２に向かう方向は、左方向である。
【００９４】
図１４において、各種ハッチングで囲まれた部位が、ここでいう１つの区画に相当する。図１４に示すように、ベース部１８には、基準面１１と２つの交差折曲げ面１５、１６との３つの区画が設けられている。
【００９５】
梱包具１は、交差折曲げ面１５、１６が基準面１１に対して面一である状態から交差折曲げ線２３、２４を介して折り曲げられるのに伴って、フィルム３０が押さえ部４０の先端４２に接触した状態で張られることにより、押さえ部４０が物品５０の上面５３と接触し物品５０の上面５３のうち一方の端部５４を押さえることによって物品５０がベース部１８に押し付けられ、かつ、フィルム３０が物品５０の上面５３のうち一方の端部５４と対向する端部５５の少なくとも一部と接触するように構成されている。
【００９６】
詳しくは、図１３に示すように、交差折曲げ面１５、１６が基準面１１に対して面一である状態（面一状態）から、交差折曲げ面１５、１６を交差折曲げ線２３、２４で基準面１１に対して折り曲げることによって、図１５に示すように、交差折曲げ面１５、１６を立ち上げた状態にすることができる。交差折曲げ面１５、１６が基準面１１に対して面一である状態から交差折曲げ線２３、２４を介して折り曲げられるのに伴って、フィルム３０とが左右方向（Ｘ軸方向）に引っ張られる。その結果、押さえ部４０で物品５０を押さえつつ、フィルム３０が張った状態で物品５０を板１０に固定することができる。その結果、容易に物品５０を固定して梱包することが出来る。
【００９７】
本実施形態では、フィルム３０の開口端部３０ａは、交差折曲げ面１５、１６に掛かっている。したがって、交差折曲げ面１５、１６が面一状態から交差折曲げ線２３、２４を介して折り曲げられるのに伴って、フィルム３０の開口端部３０ａ近傍の部分も、交差折曲げ面１５、１６と共に交差折曲げ線２３、２４で折り曲げられる。その結果、フィルム３０が、左右方向（Ｘ軸方向）に引っ張られる。このため、押さえ部４０で物品５０を押さえつつ、フィルム３０が張った状態で物品５０を板１０に固定することができる。その結果、容易に物品５０を固定して梱包することが出来る。
【００９８】
［その他］
平行折曲げ線の数や位置、交差折曲げ線の数や位置は、上述のものに限られない。平行折曲げ線は１つ以上設けられていればよい。また、図１６に示すように、交差折曲げ線は、設けられていなくてもよい。図１６は、本発明の変形例に係る梱包具１を示す斜視図である。梱包具１では、板１０には、平行折曲げ線２１が形成されている。平行折曲げ面１２を折曲げ状態とすることで生じた隙間に物品を配置した後、板１０を展開状態にすることでその物品を固定することができ、容易に梱包作業を行うことができる。
【００９９】
また、図１〜図１６を参照して説明した梱包具１では、押さえ部４０は、基準面１１に配置されていたが、押さえ部４０は、基準面１１と平行折曲げ面１２、１３とにまたがってもよい。図１７は、本発明の変形例に係る梱包具１を模式的に示す平面図である。図１７に示すように、押さえ部４０ａでは、基端４１ａが基準面１１に位置し、先端４２ａが平行折曲げ面１３に位置する。すなわち、押さえ部４０ａは、基準面１１と平行折曲げ面１３とにまたがっている。同様に、押さえ部４０ｂでは、基端４１ｂが基準面１１に位置し、先端４２ｂが平行折曲げ面１２に位置する。すなわち、押さえ部４０ａは、基準面１１と平行折曲げ面１２とにまたがっている。
【０１００】
また、基端４１ａと基端４１ｂとは、ベース部１８の中心からずれた位置に位置する。詳しくは、基端４１ａは、ベース部１８の前後中央よりも前側にずれた位置に位置する。また、基端４１ｂは、ベース部１８の前後中央よりも後側にずれた位置に位置する。したがって、押さえ部４０がベース部１８の端側に寄せて配置されている。その結果、大きさの小さい物品５０を好適に梱包することができる。
【０１０１】
また、図１０〜図１２を参照して説明した梱包具１では、複数の押さえ部４０の基端４１ａは一直線上に位置していたが、複数の押さえ部４０の基端４１ａは、一直線上に位置していなくてもよい。図１８は、本発明の変形例に係る梱包具１を模式的に示す平面図である。図１８に示すように、複数の押さえ部４０の基端４１は、一直線上に位置していない。詳しくは、基端４１ａと、基端４１ｂと、基端４１ｃとは、一直線上に位置していない。より詳しくは、基端４１ｂは、基端４１ａよりも前側にずれた位置に位置する。基端４１ｃは、基端４１ｂよりもさらに前側にずれた位置に位置する。したがって、大きさの異なる複数の物品を好適に梱包することができる。このように、梱包される物品の大きさに応じて、基端４１の位置が設定されることが好ましい。
【０１０２】
また、図１０〜図１２および図１８を参照して説明した梱包具１では、複数の押さえ部４０の大きさは同じであったが、複数の押さえ部４０の大きさは異なってもよい。図１９は、本発明の変形例に係る梱包具１を模式的に示す平面図である。図１９おいて、距離ｄ１は、押さえ部４０ａの基端４１ａから先端４２ａまでの距離である。距離ｄ２は、押さえ部４０ｂの基端４１ｂから先端４２ｂまでの距離である。距離ｄ３は、押さえ部４０ｃの基端４１ｃから先端４２ｃまでの距離である。図１９に示すように、複数の押さえ部４０の大きさは異なっている。すなわち、複数の押さえ部４０の基端４１から先端４２までの距離はそれぞれ異なる。詳しくは、距離ｄ１と、距離ｄ２と、距離ｄ３とは異なる。より詳しくは、距離ｄ２は、距離ｄ１よりも長い。また、距離ｄ３は、ｄ２よりも長い。したがって、大きさの異なる複数の物品を好適に梱包することができる。このように、梱包される物品の大きさに応じて、基端４１から先端４２までの距離が設定されることが好ましい。
【０１０３】
また、図１〜図１９を参照して説明した梱包具１では、押さえ部４０の形状は、略矩形状であったが、押さえ部４０の形状は、略矩形状でなくてもよい。図２０（ａ）および図２０（ｂ）は、本発明の変形例に係る梱包具１を示す斜視図である。
【０１０４】
図２０（ａ）に示すように、押さえ部４０において、基端４１から先端４２までの距離は、基端４１の位置に応じて異なる。詳しくは、基端４１から先端４２１までの距離は、基端４１から先端４２２までの距離よりも長い。図２０（ａ）に示す梱包具１は、例えば、ワインのボトルまたは醤油のビンを好適に梱包することができる。
【０１０５】
また、図２０（ｂ）に示すように、押さえ部４０は、三角形状である。押さえ部４０において、基端４１から先端４２までの距離は、基端４１の位置に応じて異なる。詳しくは、基端４１の右側部分から左側部分にいくにしたがって、基端４１から先端４２までの距離は短くなっている。図２０（ｂ）に示す梱包具１は、例えば、円錐状の物品を好適に梱包することができる。
【０１０６】
図２０（ａ）および図２０（ｂ）を参照して説明したように、梱包する物品に応じて、押さえ部４０の形状を設定することが好ましい。
【０１０７】
また、図１〜図２０を参照して説明した梱包具１では、物品５０を梱包する際、押さえ部４０の下面４４が物品５０の上面５３と接触していたが、押さえ部４０の上面４３が物品５０の上面５３と接触してもよい。図２１は、本発明の変形例に係る梱包具１を示す斜視図である。図２１に示すように、梱包具１では、物品５０を梱包する際、押さえ部４０の上面４３が物品５０の上面５３と接触している。図２１に示す梱包具１の押さえ部４０の基端４１から先端４２に向かう方向は、図１に示す梱包具１の押さえ部４０の基端４１から先端４２に向かう方向と反対である。
【０１０８】
また、図１〜図２１を参照して説明した梱包具１では、フィルム３０は筒状であったが、フィルム３０は筒状でなくてもよい。図２２に示すように、梱包具１は、シート状のフィルム３０が板１０に取り付けられてもよい。図２２は、本発明の変形例に係る梱包具１を示す斜視図である。図２３は、本発明の変形例に係る梱包具１の分解斜視図である。梱包具１では、フィルム３０がシート状である点を除いて、第１の実施の形態に係る梱包具１と同様な構成を有するため、重複部分については説明を省略する。
【０１０９】
図２２および図２３に示すように、板１０には、フィルム３０が取り付けられる。本実施形態では、フィルム３０は、シート状である。図２３に示すように、板１０には、一対の接着部１４２が設けられる。また、フィルム３０の下面の端部には、一対の接着部２４２が設けられる。
【０１１０】
板１０の一対の接着部１４２と、フィルム３０の一対の接着部２４２とを接着することによって、フィルム３０は板１０に取り付けられる。第１の実施の形態と同様に、平行折曲げ面１２を折曲げ状態とすることで生じた隙間に物品を配置した後、板１０を展開状態にすることでその物品を固定することができ、容易に梱包作業を行うことができる。
【０１１１】
また、梱包具１において、図２４に示すように、板１０は、表ライナー１９ａと、裏ライナー１９ｂと、中芯１９ｃとによって形成されていることが好ましい。図２４は、梱包具１の拡大斜視図である。表ライナー１９ａと、裏ライナー１９ｂとは板状である。中芯１９ｃは、波状である。交差折曲げ線２３、２４は、板１０の中芯１９ｃの波状部分の筋方向（いわゆる、紙巾方向）に平行になるように形成されている。また、平行折曲げ線２１が、中芯１９ｃの筋方向に直交するように形成されている。すなわち、平行折曲げ線２１が、いわゆる流れ方向に平行になるように形成されている。したがって、平行折曲げ線２１は、中芯１９ｃの波状部分を横切るようにして形成されている。そのため、平行折曲げ線２１により板１０を折り曲げた場合には、板１０が展開状態に戻ろうとする復元力が、比較的大きくなる。
【０１１２】
以上、図面（図１〜図２４）を参照しながら本発明の実施形態を説明した。但し、本発明は、上記の実施形態に限られるものではなく、その要旨を逸脱しない範囲で種々の態様において実施することが可能である（例えば、下記に示す（１）〜（８））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【０１１３】
（１）板やフィルムの材質は、上述の実施の形態に限られるものではない。板として、段ボールのほか、厚紙類を用いてもよい。また、板は、紙製に限らず、ポリエチレンまたはゴムのような樹脂製であってもよい。板が、ゴム製の場合、板を展開状態にした場合、板の反発力によってフィルムにテンションがかかるようにすることが可能となる。板は、折り曲げられ、その後再び展開できる板状部材であればよい。フィルムは、ポリエチレン製に限らず、ゴム製であってもよい。あるいは、ポリエチレンまたはゴムのような樹脂製に限らず、布または紙のような繊維製であってもよい。フィルムは伸縮性を有していても、有していなくてもよい。板を展開状態にした場合、フィルムにテンションがかかるようにするため、フィルムは伸縮性を有することが好ましい。
【０１１４】
（２）板の寸法や、フィルムの周長は、梱包対象となる物品に応じて適宜変更可能である。板は、矩形に限られず、また、三角形であっても五角形以上であってもよい。あるいは、板は、矩形状の板に切欠きが設けられた形状であってもよい。図２５（ａ）は、本発明の変形例に係る梱包具１を示す斜視図である。図２５（ｂ）は、本発明の変形例に係る梱包具１を模式的に示す平面図である。図２５（ｂ）において、長さｄ４は、押さえ部４０のＸ軸方向に沿った長さを示す。長さｄ５は、物品５０のＸ軸方向に沿った長さを示す。長さｄ６は、フィルム３０のＸ軸方向に沿った長さを示す。長さｄ７は、切欠き１４のＸ軸方向に沿った長さを示す。長さｄ８は、交差折曲げ線２３から交差折曲げ線２４までの長さを示す。長さｄ９は、押さえ部４０の先端４２から板１０の端部までの長さを示す。長さｄ１０は、物品５０から板１０の端部までの長さを示す。梱包具１では、板１０に切欠き１４が設けられている点を除いて、第１の実施の形態に係る梱包具１と同様な構成を有するため、重複部分については説明を省略する。
【０１１５】
図２５（ａ）および図２５（ｂ）に示すように、板１０には、切欠き１４が設けられている。切欠き１４は矩形状である。なお、切欠き１４の角は、丸みをおびていてもよい。切欠き１４の長さｄ７は、押さえ部４０の長さｄ４以上長さｄ８以下であることが好ましい。フィルム３０の長さｄ６は、押さえ部４０の長さｄ４以上、切欠き１４の長さｄ７以下であることが好ましい。本実施形態では、長さｄ６と長さｄ７は略同一である。切欠き１４の長さｄ７は、物品５０の長さｄ５以上であることが好ましい。梱包具１によって、物品５０を梱包する際、フィルム３０を張って物品５０を固定するためには、物品５０は板１０の端部に寄せて配置されることが好ましい。板１０には切欠き１４が設けられている。したがって、押さえ部４０の先端４２から板１０の端部までの長さｄ９を短くすることができる。すなわち、物品５０から板１０の端部までの長さｄ１０を短くすることができる。このため、板１０の幅と長さとを変更することなく、物品５０を板１０の端部に寄せて配置することができる。板１０の幅と長さとを変更しなくてもよいため、規定のサイズの外箱７０（図８参照）を使用することができる。また、板１０には切欠き１４が設けられているため、フィルム３０の周長を短くすることができる。その結果、フィルム３０の使用量を抑制することができる。また、フィルム３０の周長が短くなることによって、フィルム３０の張る力を強くすることができる。
【０１１６】
なお、板１０には２つの切欠き１４が設けられてもよい。図２６は、本発明の変形例に係る梱包具１を模式的に示す平面図である。梱包具１では、板１０に２つの切欠き１４が設けられている点を除いて、図２５（ａ）および図２５（ｂ）に示す梱包具１と同様な構成を有するため、重複部分については説明を省略する。板１０には、切欠き１４ａと切欠き１４ｂとが設けられている。切欠き１４ｂは、平行折曲げ面１２に設けられている。切欠き１４ｂは、平行折曲げ線２１よりも後ろ側に設けられることが好ましい。梱包具１では、板１０に２つの切欠き１４が設けられている。したがって、図２５（ａ）および図２５（ｂ）に示す梱包具１よりも、さらにフィルム３０の周長を短くすることができる。その結果、フィルム３０の使用量を抑制することができ、また、フィルム３０の張る力を強くすることができる。
【０１１７】
また、フィルムの周長は、板を折曲げ状態にしたときに物品を配置でき、その後展開状態とすることでフィルムにテンションがかかるような範囲で、適宜設定することができる。また、フィルムの形状は帯状に限らず、網目状であってもよい。あるいは、フィルムの形状は平坦状に限らず、気泡緩衝材のように凹凸を有していてもよい。
【０１１８】
（３）板１０は、表ライナー１９ａと、裏ライナー１９ｂと、中芯１９ｃとによって形成されていたが、本発明はこれに限定されない。板は、中芯１９ｃを有さず、１枚の板状の部材から形成されていてもよい。
【０１１９】
（４）伸縮性フィルムに代えて、筒状に構成されたフィルム状の部材が用いられてもよい。複数のフィルムが、平行折曲げ線の長手方向に並んで配置されていてもよい。
【０１２０】
（５）外箱は、上述のような段ボール製のものに限られず、種々の形態のものを用いることができる。例えば薄型の物品を、上述の実施の形態の梱包具１を用いて板に固定した上で、封筒などの外袋に入れて封をすることで、梱包体が構成されるようにしてもよい。その他、梱包具１を用いて種々の物品を様々な形態で梱包することができる。
【０１２１】
（６）図１〜図９を参照して説明した梱包具１では、平行折曲げ線２１は、板１０の中心からずれた位置に位置したが、本発明はこれに限定されない。例えば、平行折曲げ線２１は、板１０の中心に位置してもよい。この場合、基準面１１の面積と平行折曲げ面１２の面積とは等しくなる。
【０１２２】
（７）図１３から図１５を参照して説明した梱包具１では、交差折曲げ面１５、１６を基準面１１に対して立ち上げる、すなわち上方向に折り曲げることによって、物品５０を固定していたが、本発明はこれに限定されない。例えば、交差折曲げ面１５、１６を基準面１１に対して立ち下げる、すなわち下方向に折り曲げることによって、物品５０を固定してもよい。図７および図８に示す梱包体８０のように外箱７０を用いて物品５０を梱包する際、交差折曲げ面１５、１６を下方向に折り曲げることによって、板１０と外箱７０との間の空間に別の物品を配置することができる。この場合、図２５および図２６を参照して説明した切欠き１４が板１０に設けられることが好ましい。切欠き１４が板１０に設けられることによって、板１０と外箱７０との間の空間に配置された別の物品を切欠き１４を取り出し口として容易に取り出すことができる。
【０１２３】
（８）また、図２４を参照して説明したように、梱包具１では、交差折曲げ線２３、２４は、板１０の中芯１９ｃの波状部分の筋方向に平行に形成されていたが、本発明はこれに限定されない。例えば、交差折曲げ線２３、２４は、板１０の中芯１９ｃの波状部分の筋方向に直交するように形成されてもよい。交差折曲げ線２３、２４は、板１０の中芯１９ｃの波状部分の筋方向に直交するように形成されることによって、交差折曲げ線２３、２４で交差折曲げ面１５、１６を折り曲げた状態が保持されやすくなっている。これにより、容易に梱包を行うことができる。また、この場合、平行折曲げ線２１にミシン目加工を設けず、交差折曲げ線２３、２４にミシン目加工を設けることにより、交差折曲げ線２３、２４が折り曲げられた状態が維持されやすくなっていてもよい。
【符号の説明】
【０１２４】
１      梱包具
１０    板（板状部材）
１１    基準面
１２、１３    平行折曲げ面（折曲げ面）
１５、１６    交差折曲げ面（折曲げ面）
２１、２２    平行折曲げ線（折曲げ線）
２３、２４    交差折曲げ線（折曲げ線）
３０    フィルム
３０ａ  開口端部
３３    開口
４０、４０ａ、４０ｂ、４０ｃ    押さえ部
４１、４１ａ、４１ｂ、４１ｃ    基端
４２、４２ａ、４２ｂ、４２ｃ    先端
４３    上面
４４    下面
５０    物品
５３    上面
５４    一方の端部
５５    対向する端部
７０    外箱
８０    梱包体
１４２  接着部
２４２  接着部
３００  貫通孔
４２１、４２２  先端
Ａ      隙間
θ１    角度
θ２    角度
【図１】
2018216138.tif 000003
【図２】
2018216138.tif 000004
【図３】
2018216138.tif 000005
【図４】
2018216138.tif 000006
【図５】
2018216138.tif 000007
【図６】
2018216138.tif 000008
【図７】
2018216138.tif 000009
【図８】
2018216138.tif 000010
【図９】
2018216138.tif 000011
【図１０】
2018216138.tif 000012
【図１１】
2018216138.tif 000013
【図１２】
2018216138.tif 000014
【図１３】
2018216138.tif 000015
【図１４】
2018216138.tif 000016
【図１５】
2018216138.tif 000017
【図１６】
2018216138.tif 000018
【図１７】
2018216138.tif 000019
【図１８】
2018216138.tif 000020
【図１９】
2018216138.tif 000021
【図２０】
2018216138.tif 000022
【図２１】
2018216138.tif 000023
【図２２】
2018216138.tif 000024
【図２３】
2018216138.tif 000025
【図２４】
2018216138.tif 000026
【図２５】
2018216138.tif 000027
【図２６】
2018216138.tif 000028
【国際調査報告】
2018216138.tif 000029
2018216138.tif 000030